(57)【要約】【課題】吹出口左右への吹出し方向調整を可能として、空気調和に係る調整の柔軟性を高め、壁等への設置の後においても吹出し方向の調整で好ましい空気調和状態が得られる吹出口装置を提供する。【解決手段】略円筒体である吹出口本体１０の開口部に第１案内ノズル１１を配設すると共に、第１案内ノズル１１の開口部にさらに第２案内ノズル１２を配設し、第１案内ノズル１１に対する第２案内ノズル１２の向きを、調和空気の温度に応じて同じ向きから下に傾けた向きまで傾動手段１３によって調整可能とした上で、第１案内ノズル１１を第２案内ノズル１２ごと吹出口本体１０に対し左右に傾動可能として、調和空気の吹出しの向きを左右方向に調整できるようにしたことから、壁等に設置した後でも、吹出口装置からの調和空気の吹出し方向を柔軟に設定でき、空気調和対象空間の状況に合わせて吹出し状態を適切なものとすることができる。【選択図】  図２
2015094551.tif 000002
【特許請求の範囲】
【請求項１】
上流側から供給される調和空気を通過させる円形の開口部を取囲んだ略円筒体として形成され、空気調和対象となる空間に面する壁又は天井に配設される吹出口本体と、
当該吹出口本体より小径の略円筒体で形成され、当該略円筒体の円筒中心軸と前記吹出口本体の円筒中心軸のいずれとも直角をなす第１の軸を傾動中心として、吹出口本体に軸支されて吹出口本体開口部に傾動可能に配設される第１案内ノズルと、
当該第１案内ノズルより小径の略円筒体で形成され、当該略円筒体の円筒中心軸、第１案内ノズルの円筒中心軸、及び前記第１の軸のいずれとも直角をなす第２の軸を傾動中心として、第１案内ノズルに軸支されて第１案内ノズル内側の開口部に傾動可能に配設される第２案内ノズルと、
一部を前記第２案内ノズルに、他部を前記第１案内ノズルにそれぞれ連結されて前記吹出口本体の開口部に配設され、周囲の温度に応じて一部を他部に対し変位させ、前記第２案内ノズルを第１案内ノズルに対し傾動させる傾動手段とを備え、
前記吹出口本体が、前記第２案内ノズルの第２の軸を中心とする傾動が上下方向になされるような向きとして配設され、
前記傾動手段が、周囲を通過する調和空気が冷房時の温度である場合には、第２案内ノズルの円筒中心軸方向を前記第１案内ノズルの円筒中心軸方向と略一致させ、且つ、調和空気のとり得る温度範囲内で、調和空気の温度が高くなるほど、第２案内ノズルの円筒中心軸が前記第１案内ノズルの円筒中心軸に対し下向きに傾いた角度、が大きくなるように第２案内ノズルを傾動させることを
特徴とする吹出口装置。
【請求項２】
前記請求項１に記載の吹出口装置において、
前記第２案内ノズルの内側における前記第２の軸より上流側である部位に、第２案内ノズルの円筒中心軸、及び前記第２の軸のいずれとも平行となる薄板状の気流案内板が、ノズル内の開口部を挟んで対向する第２案内ノズルの内周の二箇所間に架け渡されて固定配設されることを
特徴とする吹出口装置。
【請求項３】
前記請求項１又は２に記載の吹出口装置において、
前記第１案内ノズルが、薄板製で内周側及び外周側に突出部分を一体形成されない円筒からなると共に、円筒内周の前記第２案内ノズルを軸支する部分の一方における近傍部位と軸支する部分の他方における近傍部位との間に架け渡して配設される連結用部材を有し、
当該連結用部材が、第１案内ノズルの円筒中心軸、及び前記第２の軸のいずれとも平行となる略板状体とされてなり、第１案内ノズルにおける前記傾動手段の他部を連結される部位とされることを
特徴とする吹出口装置。
【発明の詳細な説明】
【技術分野】
【０００１】
本発明は、空気調和対象空間に調和空気を吹出して空気調和を行う吹出口装置に関し、特に前記空間への調和空気の吹出方向を変化させられるものに関する。
【背景技術】
【０００２】
空気調和設備において、ダクトを通じて送られる調和空気を空気調和対象の室内空間に吹出す吹出口装置のうち、調和空気の到達距離を重視するノズル型の吹出口装置においては、従来から、冷房時と暖房時の調和空気の特性に着目してそれぞれの場合で最大限の到達距離が得られるよう、空気の吹出方向を冷房時と暖房時で切り替えるものが多用されている。このような従来のノズル型の吹出口装置の例として、実開昭６１−１３６２４７号公報や実開平１−１２５９５７号公報に開示されるものがある。
【０００３】
こうした従来のノズル型の吹出口装置では、冷房の場合には、本体に対し整流格子又は風向制御板を水平方向に向け、冷気をそのまま水平方向に吹出して室内に分散させていた。一方、暖房の場合には、本体に対し整流格子又は風向制御板を下方に傾け、暖気を斜め下向きに吹出して、軽い暖気がより下方まで達して空間全体を暖められるようにしていた。
【先行技術文献】
【特許文献】
【０００４】
【特許文献１】実開昭６１−１３６２４７号公報
【特許文献２】実開平１−１２５９５７号公報
【発明の概要】
【発明が解決しようとする課題】
【０００５】
従来のノズル型の吹出口装置は前記各特許文献に示される構成となっており、調和空気の温度に応じて吹出し角度を変えて、吹出し気流の到達距離を長くすることはできたものの、調整内容は到達距離に係る点のみであり、ノズル型の特徴である吹出し気流の指向性が強い点に変化はないことから、壁等の吹出口装置の設置対象箇所に一旦設置固定すると、その後は吹出し方向の細かい調整は行えず、あらかじめ空気調和が適切に行える吹出口配置を設定していない場合や、吹出口装置の設置後に空気調和対象となる居住域の状況が変わった場合には、居住域における空気調和に不都合が生じ、空気調和による快適な環境が得にくくなるという課題を有していた。
【０００６】
本発明は前記課題を解消するためになされたもので、吹出口左右への吹出し方向調整を可能として、空気調和に係る調整の柔軟性を高め、壁等への設置の後においても吹出し方向の調整で好ましい空気調和状態が得られる吹出口装置を提供することを目的とする。
【課題を解決するための手段】
【０００７】
本発明に係る吹出口装置は、上流側から供給される調和空気を通過させる円形の開口部を取囲んだ略円筒体として形成され、空気調和対象となる空間に面する壁又は天井に配設される吹出口本体と、当該吹出口本体より小径の略円筒体で形成され、当該略円筒体の円筒中心軸と前記吹出口本体の円筒中心軸のいずれとも直角をなす第１の軸を傾動中心として、吹出口本体に軸支されて吹出口本体開口部に傾動可能に配設される第１案内ノズルと、当該第１案内ノズルより小径の略円筒体で形成され、当該略円筒体の円筒中心軸、第１案内ノズルの円筒中心軸、及び前記第１の軸のいずれとも直角をなす第２の軸を傾動中心として、第１案内ノズルに軸支されて第１案内ノズル内側の開口部に傾動可能に配設される第２案内ノズルと、一部を前記第２案内ノズルに、他部を前記第１案内ノズルにそれぞれ連結されて前記吹出口本体の開口部に配設され、周囲の温度に応じて一部を他部に対し変位させ、前記第２案内ノズルを第１案内ノズルに対し傾動させる傾動手段とを備え、前記吹出口本体が、前記第２案内ノズルの第２の軸を中心とする傾動が上下方向になされるような向きとして配設され、前記傾動手段が、周囲を通過する調和空気が冷房時の温度である場合には、第２案内ノズルの円筒中心軸方向を前記第１案内ノズルの円筒中心軸方向と略一致させ、且つ、調和空気のとり得る温度範囲内で、調和空気の温度が高くなるほど、第２案内ノズルの円筒中心軸が前記第１案内ノズルの円筒中心軸に対し下向きに傾いた角度、が大きくなるように第２案内ノズルを傾動させるものである。
【０００８】
このように本発明によれば、略円筒体である吹出口本体の開口部に第１案内ノズルを配設すると共に、第１案内ノズルの開口部にさらに第２案内ノズルを配設し、第１案内ノズルに対する第２案内ノズルの向きを、調和空気の温度に応じて同じ向きから下に傾けた向きまで傾動手段によって調整可能とした上で、第１案内ノズルを第２案内ノズルごと吹出口本体に対し左右に傾動可能として、調和空気の吹出しの向きを左右方向に調整できるようにしたことから、壁等に設置した後でも、吹出口装置からの調和空気の吹出し方向を柔軟に設定でき、空気調和の対象となる居住域の状況に合わせて吹出し状態を適切なものとすることができる。また、吹出し方向が調整可能であり、吹出口本体の取付けの向きのみで吹出し方向が決まることはないため、壁等への取付けの際に吹出口本体の向きを厳密に設定する必要がなく、取付けの作業能率を高めて吹出口設置に係るコストも抑えられる。
【０００９】
また、本発明に係る吹出口装置は必要に応じて、前記第２案内ノズルの内側における前記第２の軸より上流側である部位に、第２案内ノズルの円筒中心軸、及び前記第２の軸のいずれとも平行となる薄板状の気流案内板が、ノズル内の開口部を挟んで対向する第２案内ノズルの内周の二箇所間に架け渡されて固定配設されるものである。
【００１０】
このように本発明によれば、第２案内ノズル内側の開口部に、気流案内板が開口部を横断する配置として第２案内ノズルと一体に配設され、吹出口本体の開口部を通過する調和空気の一部が気流案内板に沿って流れ、空気調和対象空間に向かうことにより、第２案内ノズルの傾動と共に向きを変える気流案内板が、第２案内ノズルによる調和空気の案内方向と同じ向きへの調和空気の進行を促して、調和空気温度に応じた吹出し方向へのよりスムーズで無理のない吹出しを実行でき、空気調和の効率を高められる。また、気流案内板が第２の軸と平行となる向きで第２案内ノズルにその開口部を横断するようにして配設されることで、第２案内ノズルの強度を高められ、第２案内ノズルの変形を抑えて変形に基づく異音等の悪影響を排除できる。さらに、第２案内ノズルを傾けない場合でも、気流案内板の案内が加わることで吹出し気流の直進性が向上することとなり、従来のように壁への付着の影響を回避し直進性を高めるために壁から吹出口本体の先端部分を大きく突出させる構造が必要なく、先端部分を壁からほとんど突出させないデザインを採用でき、デザイン面での制約を少なくして吹出口装置の適用箇所を増やせる。
【００１１】
また、本発明に係る吹出口装置は必要に応じて、前記第１案内ノズルが、薄板製で内周側及び外周側に突出部分を一体形成されない円筒からなると共に、円筒内周の前記第２案内ノズルを軸支する部分の一方における近傍部位と軸支する部分の他方における近傍部位との間に架け渡して配設される連結用部材を有し、当該連結用部材が、第１案内ノズルの円筒中心軸、及び前記第２の軸のいずれとも平行となる略板状体とされてなり、第１案内ノズルにおける前記傾動手段の他部を連結される部位とされるものである。
【００１２】
このように本発明によれば、薄板で形成した円筒である第１案内ノズルに対し、傾動手段の他部を連結するための連結用部材を、円筒内周の軸支部分近傍における対向する部分間に架け渡すようにして、第２案内ノズルを支持する第１案内ノズルの強度を向上させることにより、円筒をなす材質が薄くても変形が生じにくく、変形に基づく悪影響を抑え、ノズルとして適切に調和空気の気流を案内できる。また、第１案内ノズルと一体の連結用部材を略板状体とし、調和空気通過の際に抵抗体として作用しないものとすることで、圧力損失を抑えられ、且つ、調和空気の一部が連結用部材に沿ってこれの影響を受けつつ進行することで、調和空気の気流を第１案内ノズルで調整した方向へ進むのを促すことができ、空気調和の効率を高められる。さらに、第１案内ノズルを突出部分のない円筒形状とし、円筒に沿って気流がスムーズに流れる状態を得ていることにより、ノズル内外における気流通過の際の抵抗を抑え、吹出しに係る圧力損失と共に風切り音等の騒音を低減できる。加えて、第１案内ノズル各部に埃が付着しにくく、ノズルの汚損を抑制できる。
【図面の簡単な説明】
【００１３】
【図１】本発明の一実施形態に係る吹出口装置の正面図である。
【図２】本発明の一実施形態に係る吹出口装置における第２案内ノズル及び傾動手段の概略側面図である。
【図３】本発明の一実施形態に係る吹出口装置の内側における連結用板部及び気流案内板の配置状態説明図である。
【図４】本発明の一実施形態に係る吹出口装置における第１案内ノズルの傾動調整済み状態説明図である。
【図５】本発明の一実施形態に係る吹出口装置の第１案内ノズルの傾動調整済み状態における概略正面図である。
【図６】本発明の一実施形態に係る吹出口装置における第２案内ノズルの傾動状態説明図である。
【図７】本発明の一実施形態に係る吹出口装置の第１案内ノズル及び第２案内ノズルを傾動させた状態の概略正面図である。
【図８】本発明の他の実施形態に係る吹出口装置における第２案内ノズルの傾動に伴う連結用板部の補助案内板傾動状態説明図である。
【図９】本発明の他の実施形態に係る吹出口装置における第２案内ノズルの傾動に伴う気流案内板の後方延出状態説明図である。
【発明を実施するための形態】
【００１４】
以下、本発明の一実施形態に係る吹出口装置を前記図１ないし図７に基づいて説明する。
前記各図において本実施形態に係る吹出口装置１は、空気調和の対象となる室内空間に面する壁５０に横向きに配設される略円筒形の吹出口本体１０と、この吹出口本体１０の開口部１０ａに傾動可能に配設される略円筒形の第１案内ノズル１１と、この第１案内ノズル１１の内側に傾動可能に配設される略円筒形の第２案内ノズル１２と、この第２案内ノズル１２と第１案内ノズル１１との間に配設されて第２案内ノズルを第１案内ノズルに対し傾動させる傾動手段１３とを備える構成である。
【００１５】
前記吹出口本体１０は、上流側から供給される調和空気を通過させる円形断面の開口部１０ａを取囲んだ略円筒体として形成される構成である。吹出口本体１０の先端部には額縁部１０ｂが折り曲げ形成され、この額縁部１０ｂが壁材に接する状態で配設される。額縁部１０ｂは吹出口本体１０の円筒形部分に対し直角に近い角度をなすよう形成しているため、壁面からの吹出口本体突出量は極めて小さい。
【００１６】
この吹出口本体１０は、壁５０の内側でダクト５１に接続されて調和空気を供給され、この調和空気を室内空間側開口から室内空間へ吹出す仕組みである。吹出口本体１０における内周面の対向する上下の二箇所には、吹出口本体１０の円筒中心軸と直角をなす第１支持軸部１１ａが内側の開口部１０ａへ突出する状態で取付けられ、この第１支持軸部１１ａを介して第１案内ノズル１１が傾動可能に軸支される。
【００１７】
前記第１案内ノズル１１は、吹出口本体１０より小径の略円筒体で形成され、この略円筒体の円筒中心軸と吹出口本体１０の円筒中心軸のいずれとも直角をなす第１の軸を傾動中心として、より具体的には、前記第１の軸に中心を一致させた配置の第１支持軸部１１ａと連結されて、吹出口本体１０に軸支されて吹出口本体１０の開口部１０ａに傾動可能に配設される構成である。
【００１８】
この第１案内ノズル１１は、その外周面上下部分を第１支持軸部１１ａと連結されているが、この上下の第１支持軸部１１ａと第１案内ノズル１１及び／又は吹出口本体１０とが相対回動可能として連結されることで、第１案内ノズル１１が吹出口本体１０に対し横方向へ向きを調整可能とされる仕組みである。
【００１９】
こうして、第１案内ノズル１１を、その内側の第２案内ノズル１２も含めて吹出口本体１０に対し横へ傾動させて、調和空気の吹出し方向を左右に調整できることから、吹出口本体１０を壁５０に取り付けた後でも、調和空気の吹出し方向を室内空間の居住域の状況に合わせて柔軟に設定でき、また、壁５０への取付けの際に吹出口本体１０の向きを厳密に設定する作業を省略でき、取付け作業のコスト低減が図れる。
【００２０】
この第１案内ノズル１１における、前記第１支持軸部１１ａの取付け位置から約９０°ずれた内周面の対向する左右の二箇所には、第１案内ノズル１１の円筒中心軸と直角をなす第２支持軸部１１ｂが内側の開口部１１ｃへ突出する状態で取付けられ、この第２支持軸部１１ｂを介して第２案内ノズル１２が傾動可能に支持される。
【００２１】
第１案内ノズル１１は、詳細には、薄板製で内周側及び外周側に突出部分を一体形成されない円筒からなり、表面は光の反射の極めて少ない黒色塗装仕上げ面とされる構成である。また、第１案内ノズル１１には、前記傾動手段１３の他部を取り付けられる前記連結用部材としての連結用板部１４が、第１案内ノズル１１の二箇所の第２支持軸部１１ｂ取付け部分のうち一方における上流側近傍部位と、他方における上流側近傍部位との間に架け渡して配設される。
【００２２】
こうして第１案内ノズル１１において対向する第２支持軸部１１ｂ取付け部分の近傍部位間に連結用板部１４を配設し、第２支持軸部１１ｂ取付け部分の剛性を高めて第１案内ノズル１１全体の強度を向上させていることで、調和空気の気流からの力や、第２案内ノズルの傾動に伴う力を受けても、第１案内ノズル１１の変形が生じにくく、変形に基づく悪影響を抑えられる。
【００２３】
この連結用板部１４は、薄板状体で形成され、その板面が第１案内ノズル１１の円筒中心軸、及び第２支持軸部１１ｂのいずれとも平行となる向きとして取り付けられる。そして、その表面は第１案内ノズル１１同様の黒色塗装仕上げ面とされる。
【００２４】
第１案内ノズル１１を突出部分のない薄板製の円筒で構成し、円筒に沿って気流がスムーズに流れる状態を得られることに加え、連結用板部１４を気流に対する抵抗の小さい薄板状体としていることで、第１案内ノズル１１全体として調和空気の通過に係る圧力損失を小さくできると共に、風切り音等の騒音も抑えられる。さらに、薄板製で正面側における投影面積の小さい第１案内ノズル１１及び連結用板部１４の各表面を光の反射の少ない黒色塗装仕上げ面とすることで、第１案内ノズル１１及び連結用板部１４をほとんど目立たせず、吹出口装置を一般的な二重ノズル型の吹出口に近いシンプルな外観として、ノズル多重化による違和感を軽減できる。
【００２５】
前記第２案内ノズル１２は、第１案内ノズル１１より小径の略円筒体で形成され、この略円筒体の円筒中心軸、第１案内ノズル１１の円筒中心軸、及び前記第１の軸のいずれとも直角をなす第２の軸を傾動中心として、より具体的には、前記第２の軸に中心を一致させた配置の第２支持軸部１１ｂと連結されて、第１案内ノズル１１に軸支されて第１案内ノズル１１の内側の開口部１１ｃに傾動可能に配設される構成である。
【００２６】
第２案内ノズル１２は、吹出側先端縁部をカール加工して強度を高めた略円筒体とされ、その円筒軸方向を第１案内ノズル１１のそれと一致させた状態では、第１案内ノズル１１の吹出側端面位置と略一致する配置として、第２支持軸部１１ｂを介して第１案内ノズル１１の内側に取り付けられ、吹出口本体１０の開口部中央に配設される。この第２案内ノズル１２における一方の第２支持軸部１１ｂとの連結部分のある側部には、前記傾動手段１３の一部を連結するためのリンク板１２ａが一体に取付固定される。
【００２７】
また、第２案内ノズル１２の内側で、前記第２の軸、具体的には、第２支持軸部１１ｂ、より上流側の部分に、第２案内ノズル１２の円筒中心軸、及び第２支持軸部１１ｂのいずれとも平行となる薄板状の気流案内板１５が配設される。
【００２８】
この気流案内板１５は、第２案内ノズル内側の開口部１２ｂを横断し、且つ第２案内ノズル１２の上流側端部から所定長さ突出する大きさとして形成され、開口部１２ｂを挟んで対向する第２案内ノズル１２の内周の二箇所間に架け渡されて固定配設される構成である（図３参照）。この気流案内板１５の表面も、光の反射の極めて少ない黒色塗装仕上げ面とされる。そして、気流案内板１５は、第２案内ノズル１２の円筒軸方向を第１案内ノズル１１のそれと一致させた状態で、第２案内ノズル１２の正面側（下流側）から見て、第１案内ノズル１１の連結用板部１４の前方（下流側）に重なるように位置することとなる（図１、図２参照）。
【００２９】
第２案内ノズル１２は調和空気の気流から力を受けるが、気流案内板１５が第２案内ノズル１２にその開口部１２ｂを横断する配置で一体に配設されることで、第２案内ノズル１２の強度は高くなっており、第２案内ノズル１２の変形や変形に伴う振動・異音等の発生を抑制できる。なお、気流案内板１５は第２案内ノズル１２の開口部１２ｂを二等分する位置に一つ設けられる構成に限られるものではなく、第２案内ノズル１２の円筒中心軸、及び第２支持軸部１１ｂのいずれとも平行となる向きの気流案内板を複数所定間隔で設けるようにしてもよい。
【００３０】
前記傾動手段１３は、一部を第２案内ノズル１２に、他部を第１案内ノズル１１にそれぞれ取り付けられて吹出口本体１０の開口部１０ａに配設され、周囲の温度に応じて一部を他部に対し変位させ、第２案内ノズル１２を第１案内ノズル１１に対し傾動させるものである。
【００３１】
傾動手段１３は、詳細には、第１案内ノズル１１の連結用板部１４に支持されるアクチュエータ１６と、所定長さの細長い略板状部材として形成されて、その両端部をアクチュエータ１６と第２案内ノズル１２のリンク板１２ａにそれぞれ連結されるリンクアーム１７とを備える構成である。
【００３２】
前記アクチュエータ１６は、周囲の気体の温度変化に対応して本体部１６ａからのニードル１６ｂの突出量を変化させる、公知のいわゆるワックスサーモエレメントであり、詳細な説明を省略する。このアクチュエータ１６は、連結用板部１４に取付固定されたアクチュエータ支持枠１３ａを介して、連結用板部１４に支持される。アクチュエータ１６のニードル１６ｂがアクチュエータ支持枠１３ａに連結固定される一方、本体部１６ａはアクチュエータ支持枠１３ａに対し移動可能として支持される。アクチュエータ１６の本体部１６ａには、リンクアーム１７の端部が連結される他、本体部１６ａにニードル１６ｂを相対的に押込む方向に本体部１６ａを付勢するスプリング１３ｂが併設される。
【００３３】
前記リンクアーム１７は、その一端部を、第２案内ノズル１２と一体に前記第２の軸を傾動中心として傾動するリンク板１２ａに対し、第２の軸、すなわち第２支持軸部１１ｂの中心、から所定距離離れた部位で第２支持軸部１１ｂと平行な軸を中心に回動可能に軸支されて連結される。また、リンクアーム１７の他端部はアクチュエータ１６の本体部１６ａに連結されており、アクチュエータ１６の固定されたニードル１６ｂに対する本体部１６ａの温度変化に応じた移動に伴って、リンクアーム１７が前後方向に動き、このリンクアーム１７と連結するリンク板１２ａを揺動させることで、第２案内ノズル１２を傾動させる、一種のクランク機構が構成されている。
【００３４】
このような傾動手段１３により、第２案内ノズル１２を第１案内ノズル１１に対して所定角度に傾け、吹出方向を変化させられる仕組みである。第２案内ノズル１２の傾動範囲は、第１案内ノズル１１に対する第２案内ノズル１２の大きさ、並びに、リンク板１２ａ、リンクアーム１７、及びアクチュエータ１６のリンクをなす各部品の配置関係によって決り、室内空間の諸条件や用途に応じて適切な範囲となるようそれぞれの寸法や配置等が決定される。本実施形態においては、第２案内ノズル１２の傾動範囲が、横向き（０°）から下方に３０°までの範囲に設定されている。
【００３５】
こうした傾動手段１３を用いることで、調和空気の温度に応じて第２案内ノズル１２が傾動し、第１案内ノズル１１に対する角度を調整される。冷房の場合には、冷気に当ったアクチュエータ１６の本体部１６ａがニードル１６ｂを引き込むような状態変化を生じることに基づき、本体部１６ａがスプリング１３ｂの付勢によりニードル１６ｂを相対的に引込んで突出量を小さくするように移動し、第１案内ノズル１１に対し第２案内ノズル１２の角度を起して横向き（図２参照）とし、冷気をそのまま横方向に吹出して室内に分散させる。暖房の場合には、暖気に当ったアクチュエータ１６の本体部１６ａがニードル１６ｂを押出すような状態変化を生じることに基づき、本体部１６ａがスプリング１３ｂの付勢に抗ってニードル１６ｂを相対的に押出して突出量を大きくするように移動することにより、第１案内ノズル１１に対し第２案内ノズル１２の角度を下方へ傾け（図６参照）、軽い暖気を斜め下向きに吹出して暖気の上昇を抑えつつ到達距離を伸ばし、室内空間全体を暖められるようにしている。
【００３６】
なお、アクチュエータ１６としては、ワックスサーモエレメントに限らず、他の感熱応動部材として、温度変化に応じて一部を他部分に対し変位させる性質のある形状記憶合金等を用いることもできる。
【００３７】
次に、本実施形態に係る吹出口装置における調和空気温度による吹出し方向の調整状態について説明する。第１案内ノズル１１は吹出口本体１０に対し第１支持軸部１１ａを中心として横方向に傾動し、また、第２案内ノズル１２は第１案内ノズル１１に対し第２支持軸部１１ｂを中心として傾動する仕組みとなっており、従来の吹出口装置と同様に、調和空気の温度に応じて第２案内ノズル１２を第１案内ノズル１１に対し所定角度傾動させ、室内空間側へ向う調和空気の吹出し方向を温度に応じた適切なものに調整できる他、居住域の状況に応じて、第１案内ノズル１１の吹出口本体１０に対する傾斜角度を調節して、室内空間側へ向う調和空気の気流を左右方向についても変化させることができる。
【００３８】
冷えた調和空気が吹出口装置１を経て室内空間側に供給されている冷房の場合には、アクチュエータ１６は、壁内のダクト５１を通じて供給される冷房用の調和空気との接触で、本体部１６ａからのニードル１６ｂの突出量を小さくする状態となることから、本体部１６ａはアクチュエータ支持枠１３ａに対し最も前方寄りの位置となり、本体部１６ａに連結されたリンクアーム１７も、リンク板１２ａとの連結位置を最も前方に位置させた状態となる（図２参照）。この場合、第２案内ノズル１２は通常の冷房時状態として吹出口本体１０同様に横向きの状態にあり、ダクト５１から送られた冷気を吹出口本体１０、第１案内ノズル１１、及び第２案内ノズル１２に沿って直進させて略水平に室内空間に吹出す。室内の空気より重い冷えた調和空気を水平に吹出すことで、室内空間において最大限の到達距離を得ることができる。
【００３９】
調和空気の気流が吹出口本体１０の開口部１０ａ、特に第１案内ノズル１１内側の開口部１１ｃを直進するにあたり、第１案内ノズル１１に設けられた連結用板部１４と第２案内ノズル１２に設けられた気流案内板１５が、吹出口本体１０の円筒軸方向に並び、調和空気の一部がこれら連結用板部１４と気流案内板１５に沿ってこれらの影響を受けつつ進行することで、調和空気の気流が直進して第１案内ノズル１１の正面側へ進むのを促すこととなり、吹出口装置から直進する気流をスムーズに吹き出すことができる。
【００４０】
この時、吹出口本体１０に対する第１案内ノズル１１の向きを調整した場合（図４、図５参照）、横方向の傾けた向きに冷えた調和空気が向かうこととなり、居住域における調和空気を到達させたい箇所が、吹出口装置の設置時の想定と異なる、すなわち吹出口装置の正面方向からずれている状況においても、所望の到達状態を得られる。
【００４１】
一方、暖房の場合には、温かい暖房用の空気の影響により、アクチュエータ１６は、本体部１６ａからのニードル１６ｂの突出量を増大させるように動作して、本体部１６ａはアクチュエータ支持枠１３ａに対し最も後方の位置となり、本体部１６ａに連結されたリンクアーム１７も、リンク板１２ａとの連結位置を最も後方に位置させた状態となる（図６参照）。これにより、第２案内ノズル１２を冷房時の横向きの状態（図２参照）から、第１案内ノズル１１に対して下方に所定角度（例えば、３０°）分傾動させることとなる。
【００４２】
ダクト５１から送られた暖気は、吹出口本体１０及び第１案内ノズル１１に沿って進みつつ、第２案内ノズル１２により進行方向を変えられ、第２案内ノズル１２と同じ傾斜角度で斜め下向きに室内空間に吹出す。第２案内ノズル１２内側の開口部１２ｂに、第２案内ノズルの円筒中心軸と平行な気流案内板１５を設けていることで、吹出口本体１０の開口部１０ａにおける調和空気の気流は、これを第２案内ノズル１２による案内方向へ進めようとする力をより多く受けることとなり、調和空気の気流は傾いた第２案内ノズル１２の正面側、すなわち吹出口本体１０の円筒軸方向に対し下に傾いた向きにスムーズに吹出される。こうして暖気を斜め下方向へ吹出すことで、室内空間の空気より軽い暖気を早期に天井側へ向かわせることなく、室内空間のより広い範囲へ効率よく均等に到達させられる。
【００４３】
この暖房の場合も、吹出口本体１０に対する第１案内ノズル１１の向きを調整すると（図７参照）、この第１案内ノズル１１を傾けた方向に温かい調和空気が第２案内ノズル１２の下向き傾斜の影響を受けつつ進行することとなり、居住域における調和空気を到達させたい箇所が吹出口装置の正面方向にあるか否かに関わりなく、調和空気の所望の到達状態を得られる。
【００４４】
このように、本実施形態に係る吹出口装置においては、略円筒体である吹出口本体１０の開口部１０ａに第１案内ノズル１１を配設すると共に、第１案内ノズル１１の開口部１１ｃにさらに第２案内ノズル１２を配設し、第１案内ノズル１１に対する第２案内ノズル１２の向きを、調和空気の温度に応じて同じ向きから下に傾けた向きまで傾動手段１３によって調整可能とした上で、第１案内ノズル１１を第２案内ノズル１２ごと吹出口本体１０に対し左右に傾動可能として、調和空気の吹出しの向きを左右方向に調整できるようにしたことから、壁５０に設置した後でも、吹出口装置１からの調和空気の吹出し方向を柔軟に設定でき、空気調和の対象となる居住域の状況に合わせて吹出し状態を適切なものとすることができる。また、吹出し方向が調整可能であり、吹出口本体１０の取付けの向きのみで吹出し方向が決まることはないため、壁等への取付けの際に吹出口本体１０の向きを厳密に設定する必要がなく、取付けの作業能率を高めて吹出口設置に係るコストも抑えられる。
【００４５】
なお、前記実施形態に係る吹出口装置で、傾動手段１３としてワックスサーモエレメントのアクチュエータ１６により各リンクを動かして第２案内ノズル１２を傾動させる機構を用いる構成としているが、これに限らず、傾動手段としては、アクチュエータやリンクを用いたものに限らず、第２案内ノズルを直接又は減速機構を介して、調和空気の温度に応じた制御を受ける電動機により駆動して、第１案内ノズルに対し傾動させる構成とすることもできる。
【００４６】
また、前記実施形態に係る吹出口装置において、第１案内ノズル１１に設ける連結用部材としての連結用板部１４は、一枚の略板状体で形成されて単純に第１案内ノズル１１に固定されて配設される構成としているが、これに限らず、図８に示すように、連結用板部１４に補助案内板１４ａを配設し、傾動手段１３と連動する新たなリンク機構を用いて、第２案内ノズル１２を下に傾けた場合に補助案内板１４ａも下へ傾ける構成とすることもでき、第１案内ノズル１１における連結用板部１４の箇所においても調和空気の気流が斜め下に進行するのを促すことができる。
【００４７】
さらに、前記実施形態に係る吹出口装置において、第２案内ノズル１２に設ける気流案内板１５は、一枚の略板状体で形成されて単純に第２案内ノズル１２に固定されて配設される構成としているが、これに限らず、図９に示すように、気流案内板１８を複数の板を重ねつつその一部が可動となるように構成し、傾動手段１３と連動する新たなリンク機構を用いて、第２案内ノズル１２を下に傾けた場合に気流案内板１８の一部を上流側（後方）へずらし、気流案内板１８を全体として上流側に延長する構成とすることもでき、調和空気との接触の機会を増やして、調和空気の気流に対する斜め下向きへの案内性能をより一層向上させられる。
【符号の説明】
【００４８】
１            吹出口装置
１０          吹出口本体
１０ａ        開口部
１１          第１案内ノズル
１１ａ        第１支持軸部
１１ｂ        第２支持軸部
１１ｃ        開口部
１２          第２案内ノズル
１２ａ        リンク板
１２ｂ        開口部
１３          傾動手段
１４          連結用板部
１４ａ        補助案内板
１５          気流案内板
１６          アクチュエータ
１６ａ        本体部
１６ｂ        ニードル
１７          リンクアーム
１８          気流案内板
５０          壁
５１          ダクト
【図１】
2015094551.tif 000003
【図２】
2015094551.tif 000004
【図３】
2015094551.tif 000005
【図４】
2015094551.tif 000006
【図５】
2015094551.tif 000007
【図６】
2015094551.tif 000008
【図７】
2015094551.tif 000009
【図８】
2015094551.tif 000010
【図９】
2015094551.tif 000011